(57)【要約】【課題】防火性の向上を図る。【解決手段】障子２０の戸先に配置される框２４の見付け面にハンドル取付孔２４ｃ，２４ｄ，２４ｅを有し、ハンドル取付孔２４ｃ，２４ｄ，２４ｅを覆う状態で取付部４４を介して操作ユニット４０のハンドル４１が框２４に取り付けられているとともに、框２４の中空内部２４Ｃに作動部材４２が配設され、ハンドル４１の操作によって作動部材４２を動作させることにより、枠体１０に対して障子２０の開放が可能となる建具であって、框２４には、中空内部２４Ｃにおいて操作ユニット４０の取付部４４に対応する位置に、熱膨張性部材５０を備えた支持部材６０が設けられており、支持部材６０には、中空内部２４Ｃにおいて操作ユニット４０に当接することにより框２４に対して長手方向の位置決めを行う当接部６３が設けられている。【選択図】図７
2017210723.tif 000002
【特許請求の範囲】
【請求項１】
障子の戸先に配置される框の見付け面に操作部材取付孔を有し、前記操作部材取付孔を覆う状態で操作ユニットの取付部を介して操作部材が前記框に取り付けられているとともに、前記框の中空内部に作動部材が配設され、前記操作部材の操作によって前記作動部材を動作させることにより、枠体に対して前記障子の開放が可能となる建具であって、
前記框には、前記中空内部において前記操作ユニットの取付部に対応する位置に、熱膨張性部材を備えた支持部材が設けられており、
前記支持部材には、前記中空内部において前記操作ユニットに当接することにより前記框に対して長手方向の位置決めを行う当接部が設けられていることを特徴とする建具。
【請求項２】
前記操作ユニットは、前記框の一方の見付け面にのみ取り付けられており、
前記支持部材は、前記操作部材取付孔に対向する部位に前記熱膨張性部材を備えることを特徴とする請求項１に記載の建具。
【請求項３】
前記操作ユニットは、前記取付部から突出する操作軸部材を備え、前記操作軸部材が前記操作部材取付孔を通じて前記中空内部の作動部材に連係されるものであり、
前記支持部材は、見付け方向に沿って延在した平板状を成す第１プレート部と、前記第１プレート部の一方の側縁から見込み方向に沿って延在した平板状を成す第２プレート部とを有し、前記第２プレート部の上方部に前記当接部が見込み方向に沿って突出されているものであり、前記当接部が前記作動部材の上面に当接されていることを特徴とする請求項２に記載の建具。
【請求項４】
前記第１プレート部において前記操作部材取付孔に対向する表面に前記熱膨張性部材が配設されていることを特徴とする請求項３に記載の建具。
【請求項５】
前記支持部材は、前記框の長手に沿った寸法が、前記中空内部の見込み方向に沿った寸法及び見付け方向に沿った寸法の双方よりも大きく構成してあることを特徴とする請求項１に記載の建具。
【請求項６】
前記第２プレート部の見込み方向に沿った寸法は、前記第１プレート部が前記中空内部の見付け方向に沿った内表面に当接した状態で前記当接部が前記作動部材の上面に当接可能となる寸法を有し、
前記第１プレート部の見付け方向に沿った寸法は、前記第１プレート部の他方の側縁が前記中空内部の見込み方向に沿った内表面に当接した状態で前記当接部が前記作動部材の上面に当接可能となる寸法を有したことを特徴とする請求項３に記載の建具。
【発明の詳細な説明】
【技術分野】
【０００１】
本発明は、建具に関するもので、特に、障子の戸先に配置される框の見付け面に操作ユニットの操作部材が設けられた建具の改良に関するものである。
【背景技術】
【０００２】
枠体に対して障子が開閉可能に設けられた建具には、通常、障子の戸先に配置される框の見付け面に操作部材としてハンドルが設けられている。例えば、開口枠に対して障子が面外方向に開放される縦すべり出し窓においては、框の室内に臨む見付け面にハンドルが設けられているとともに、框の中空内部にハンドルの回転によって動作する作動部材が配設されている。この縦すべり出し窓では、ハンドルを回転に伴って中空内部の作動部材が動作すると、枠体と障子との間に設けられた錠手段が解錠状態となり、そのままハンドルを介して障子を操作すれば開くことが可能となる（例えば、特許文献１参照）。
【先行技術文献】
【特許文献】
【０００３】
【特許文献１】特開２００１−５５８５４号公報
【発明の概要】
【発明が解決しようとする課題】
【０００４】
ところで、昨今においては、この種の建具に対しても防火性が要求されるようになってきた。例えば、室外の火災発生によって建具に火熱が加えられた場合にも、建具の室内側に火炎を出さないだけの防火性を有していることが好ましい。上述した建具においては、操作ユニットのハンドルを取り付けるために框にハンドル取付孔が設けられているため、このハンドル取付孔が火炎の貫通口となる事態を防止するように構成する必要がある。また、操作ユニットのハンドルが樹脂によって成形されている場合であっても、框に加えられた火熱の影響によってハンドルから発炎する事態を防止するように構成する必要がある。
【０００５】
本発明は、上記実情に鑑みて、防火性の向上を図ることのできる建具を提供することを目的とする。
【課題を解決するための手段】
【０００６】
上記目的を達成するため、本発明に係る建具は、障子の戸先に配置される框の見付け面に操作部材取付孔を有し、前記操作部材取付孔を覆う状態で操作ユニットの取付部を介して操作部材が前記框に取り付けられているとともに、前記框の中空内部に作動部材が配設され、前記操作部材の操作によって前記作動部材を動作させることにより、枠体に対して前記障子の開放が可能となる建具であって、前記框には、前記中空内部において前記操作ユニットの取付部に対応する位置に、熱膨張性部材を備えた支持部材が設けられており、前記支持部材には、前記中空内部において前記操作ユニットに当接することにより前記框に対して長手方向の位置決めを行う当接部が設けられていることを特徴とする。
【０００７】
この発明によれば、火災発生時等において框が高温状態となった場合、框の中空内部に配設された熱膨張性部材が膨張し、操作部材取付孔を塞ぐことができる。しかも、熱膨張性部材が有する断熱性により、框の一方の見付け面に加えられた火熱が他方の見付け面に影響を与えるおそれが小さくなる。これらの結果、框の操作部材取付孔が火炎の貫通口となるおそれはなく、また操作部材として樹脂によって成形したものを適用した場合にも、操作部材から発炎する事態を招来するおそれがない。
【０００８】
また本発明は、上述した建具において、前記操作ユニットは、前記框の一方の見付け面にのみ取り付けられており、前記支持部材は、前記操作部材取付孔に対向する部位に前記熱膨張性部材を備えることを特徴とする。
【０００９】
この発明によれば、熱膨張性部材が操作部材取付孔に対向しているため、より確実に操作部材取付孔を塞ぐことが可能となる。
【００１０】
また本発明は、上述した建具において、前記操作ユニットは、前記取付部から突出する操作軸部材を備え、前記操作軸部材が前記操作部材取付孔を通じて前記中空内部の作動部材に連係されるものであり、前記支持部材は、見付け方向に沿って延在した平板状を成す第１プレート部と、前記第１プレート部の一方の側縁から見込み方向に沿って延在した平板状を成す第２プレート部とを有し、前記第２プレート部の上方部に前記当接部が見込み方向に沿って突出されているものであり、前記当接部が前記作動部材の上面に当接されていることを特徴とする。
【００１１】
この発明によれば、支持部材の第１プレート部によって中空内部の見付け面を覆うことができるため、操作部材が設けられた見付け面への火熱の影響をより確実に抑えることが可能となる。
【００１２】
また本発明は、上述した建具において、前記第１プレート部において前記操作部材取付孔に対向する表面に前記熱膨張性部材が配設されていることを特徴とする。
【００１３】
この発明によれば、第１プレート部に配設された熱膨張性部材によって框の操作部材取付孔が確実に塞がれるようになる。
【００１４】
また本発明は、上述した建具において、前記支持部材は、前記框の長手に沿った寸法が、前記中空内部の見込み方向に沿った寸法及び見付け方向に沿った寸法の双方よりも大きく構成してあることを特徴とする。
【００１５】
この発明によれば、支持部材を框の端面開口から中空内部に投下した場合にも支持部材の挿入時の上下位置が逆転されることがない。
【００１６】
また本発明は、上述した建具において、前記第２プレート部の見込み方向に沿った寸法は、前記第１プレート部が前記中空内部の見付け方向に沿った内表面に当接した状態で前記当接部が前記作動部材の上面に当接可能となる寸法を有し、前記第１プレート部の見付け方向に沿った寸法は、前記第１プレート部の他方の側縁が前記中空内部の見込み方向に沿った内表面に当接した状態で前記当接部が前記作動部材の上面に当接可能となる寸法を有したことを特徴とする。
【００１７】
この発明によれば、支持部材を框の端面開口から中空内部に投下した場合にも支持部材の当接部を作動部材の上面に確実に当接させることができる。
【発明の効果】
【００１８】
本発明によれば、火災発生時等において框が高温状態となった場合、框の中空内部に配設された熱膨張性部材が膨張し、操作部材取付孔を塞ぐことができる。しかも、熱膨張性部材が有する断熱性により、框の一方の見付け面に加えられた火熱の影響が他方の見付け面に及ぶおそれが小さくなる。これらの結果、框の操作部材取付孔が火炎の貫通口となるおそれはなく、また操作部材として樹脂によって成形したものを適用した場合にも、操作部材から発炎する事態を招来するおそれがない。さらに、熱膨張性部材を備える支持部材は、框に対して長手方向の位置決めを行う当接部が設けられたものであるため、中空内部の所望の位置に取り付ける作業も容易に行うことが可能である。
【図面の簡単な説明】
【００１９】
【図１】図１は、本発明の実施の形態である建具を室内側から見た図である。
【図２】図２は、図１に示した建具の縦断面図である。
【図３】図３は、図１に示した建具の横断面図である。
【図４】図４は、図１に示した建具の戸先に配置される縦框及び操作ユニットを示す分解斜視図である。
【図５】図５は、図１に示した建具の戸先に配置される縦框及び操作ユニットの操作部材を示す分解斜視図である。
【図６】図６は、図１に示した建具の戸先に配置される縦框を示すもので、（ａ）は作動部材を取り付けた状態の要部横断面図、（ｂ）は操作部材及び支持部材とともに示す分解要部横断面図、（ｃ）は操作部材及び支持部材を取り付けた状態の要部横断面図である。
【図７】図７は、図１に示した建具の戸先に配置される縦框を示すもので、（ａ）は支持部材を取り付ける直前の状態を示す要部縦断面図、（ｂ）は支持部材を取り付けた状態を示す要部縦断面図である。
【発明を実施するための形態】
【００２０】
以下、添付図面を参照しながら本発明に係る建具の好適な実施の形態について詳細に説明する。
図１〜図３は、本発明の実施の形態である建具を示したものである。ここで例示する建具は、枠体１０に対して障子２０が室外側に向けて押し開らかれるように構成した、いわゆる縦すべり出し窓と称されるものである。
【００２１】
枠体１０は、上枠１１、下枠１２及び左右の縦枠１３，１４を四周枠組みすることによって構成してある。障子２０は、ガラス等の面材２１の四周に上框２２、下框２３及び左右の縦框２４，２５を装着することによって構成したものである。枠体１０を構成するそれぞれの枠１１，１２，１３，１４は、アルミニウム合金等の金属によって成形した金属枠部分１１Ａ，１２Ａ，１３Ａ，１４Ａと、樹脂によって成形した樹脂枠部分１１Ｂ，１２Ｂ，１３Ｂ，１４Ｂとを備えた複合枠部材であり、室内側に位置する部分が樹脂枠部分１１Ｂ，１２Ｂ，１３Ｂ，１４Ｂによって覆われるように構成してある。障子２０を構成するそれぞれの框２２，２３，２４，２５も同様に、アルミニウム合金等の金属によって成形した金属框部分２２Ａ，２３Ａ，２４Ａ，２５Ａと、樹脂によって成形した樹脂框部分２２Ｂ，２３Ｂ，２４Ｂ，２５Ｂとを備えた複合框部材であり、室内側に位置する部分が樹脂框部分２２Ｂ，２３Ｂ，２４Ｂ，２５Ｂによって覆われるように構成してある。図からも明らかなように、金属框部分２２Ａ，２３Ａ，２４Ａ，２５Ａには、それぞれ中空の角筒状を成す部分が設けてある。なお、以下に記載する縦框２４の中空内部２４Ｃとは、この金属框部分２４Ａに設けた角筒状部分の内部空間のことである。
【００２２】
この建具では、上枠１１の金属枠部分１１Ａと上框２２の金属框部分２２Ａとの間及び下枠１２の金属枠部分１２Ａと下框２３の金属框部分２３Ａとの間にそれぞれフリクションステーと称されるリンク機構３０を介在させることにより、枠体１０に対して障子２０が開閉可能に支持してある。図には示していないが、枠体１０に対して障子２０を開いた場合には、戸尻となる一方の縦框（以下、戸尻框２５という）が、対応する縦枠１４から離れるようにスライドするとともに、戸先となる他方の縦框（以下、戸先框２４という）が室外に向けて突出し、枠体１０に対して障子２０が室外側にほぼ直角に突出した状態となる。
【００２３】
以下、この建具において本発明の特徴部分となる構成について詳述する。なお、以下の説明においては便宜上、「見込み方向」、「見付け方向」等の用語を用いることとする。「見込み方向」とは、図２及び図３中の矢印Ａで示すように、建具の奥行きに沿った方向である。見込み方向に沿った面については、「見込み面」と称する場合がある。また、「見付け方向」とは、上枠１１及び下枠１２あるいは上框２２や下框２３等のように水平方向に沿って延在するものの場合、見込み方向に直交した上下に沿う方向である。縦枠１３，１４や縦框２４，２５等のように上下方向に沿って延在するものの場合には、見込み方向に直交した水平に沿う方向を「見付け方向」という。見付け方向に沿った面については、「見付け面」と称する場合がある。枠１１，１２，１３，１４や框２２，２３，２４，２５の長手とは、それぞれを押し出し成形する場合の押し出し方向に一致した方向である。
【００２４】
図３に示すように、この建具の戸先框２４には、操作ユニット４０が設けてある。操作ユニット４０は、障子２０が閉じた状態において開放操作された場合に、枠体１０に対する障子２０の開放移動を許容するものである。本実施の形態では、図４及び図５に示すように、ハンドル（操作部材）４１、作動部材４２及びスライダ４３を備えて操作ユニット４０が構成してある。
【００２５】
ハンドル４１は、ベースとなる取付部４４に対して回転可能に配設したもので、取付部４４から突出した基部４１ａと、基部４１ａから屈曲するように延在した把持部４１ｂとが一体に成形してある。本実施の形態では、ハンドル４１及び取付部４４として、それぞれ樹脂によって成形したものを適用している。ハンドル４１の基部４１ａには、ハンドル軸４５が設けてある。ハンドル軸（操作軸部材）４５は、角柱状を成し、ハンドル４１の回転中心に沿って延在した金属製の部材であり、突出端部が取付部４４の取付面４４ａから突出するように設けてある。取付部４４においてハンドル軸４５の両側となる部分には、それぞれボス部４４ｂが配設してある。ボス部４４ｂは、取付面４４ａから突出するように設けた柱状部材であり、個々の中心部にネジ貫通孔４４ｃを有している。
【００２６】
作動部材４２は、作動部本体４２ａ、スライダ固定部４２ｂ及びカム部材４２ｃを備えて構成したものである。作動部本体４２ａは、スライド溝４２ｄの両端部にフランジ部４２ｅを有している。フランジ部４２ｅには、それぞれネジ挿通孔４２ｆが設けてある。スライダ固定部４２ｂは、作動部本体４２ａのスライド溝４２ｄにスライド可能に配設したブロック状部材である。このスライダ固定部４２ｂには、作動部本体４２ａの外部に露出する部分にネジ孔４２ｇが設けてある。カム部材４２ｃは、作動部本体４２ａに対して回転可能に配設したもので、中心部にハンドル軸４５が嵌合する嵌合孔４２ｈを有している。図には明示していないが、このカム部材４２ｃには、外周となる部分にスライダ固定部４２ｂとの間を連係する連係部が設けてある。連係部は、カム部材４２ｃが回転した場合にスライダ固定部４２ｂを作動部本体４２ａに対してスライドさせるように機能するものである。
【００２７】
スライダ４３は、戸先框２４の見込み面に設けたスライドガイド２４ａに配設される長尺部材である。スライドガイド２４ａは、スライダ４３を戸先框２４の長手方向に沿ってのみスライド可能に支持するもので、戸先框２４の見込み面において室内側に偏った位置に設けてある。スライダ４３には、複数箇所にストッパピン４６が設けてある。ストッパピン４６は、スライダ４３の表面から突出した円柱状を成す軸部４６ａと、軸部４６ａの先端部に設けた太径の頭部４６ｂとを有したものである。
【００２８】
上述の操作ユニット４０を戸先框２４に取り付けるには、図６の（ａ）に示すように、作動部材４２を取り付けた後、図６の（ｂ）及び図６の（ｃ）に示すように、ハンドル４１及びスライダ４３を取り付ければ良い。戸先框２４には、図４及び図５に示すように、予め見込み面に取付開口２４ｂを設けるとともに、室内に臨む見付け面から中空内部２４Ｃに貫通するように３つのハンドル取付孔（操作部材取付孔）２４ｃ，２４ｄ，２４ｅを設けておく。取付開口２４ｂは、スライドガイド２４ａに開口するように設けてある。ハンドル取付孔２４ｃ，２４ｄ，２４ｅは、ハンドル軸４５及び２つのボス部４４ｂそれぞれを個別に挿通することができるように３つの円形状を成すものが上下に沿って並設してある。
【００２９】
作動部材４２は、戸先框２４の取付開口２４ｂを介して作動部本体４２ａを中空内部２４Ｃに挿入するとともに、フランジ部４２ｅを見込み面に当接させ、個々のネジ挿通孔４２ｆを介して戸先框２４にネジを螺合することによって戸先框２４に取り付けられる。上述したように、取付開口２４ｂは、スライドガイド２４ａに設けたもの、つまりハンドル４１が取り付けられる室内側に偏った位置に開口するものである。従って、作動部材４２は、スライダ固定部４２ｂがスライドガイド２４ａに配置され、作動部本体４２ａ及びカム部材４２ｃを中空内部２４Ｃに配置した状態で、室内側に偏った位置に取り付けられる。
【００３０】
次いで、戸先框２４のハンドル取付孔２４ｃ，２４ｄ，２４ｅを介してハンドル軸４５及びボス部４４ｂを中空内部２４Ｃに挿入し、ボス部４４ｂのネジ貫通孔４４ｃを介して作動部本体４２ａのネジ孔４２ｊにそれぞれ取付ネジ４７を螺合する。これにより、取付部４４を介してハンドル４１を戸先框２４に取り付けることができる。
【００３１】
ハンドル取付孔２４ｄを介して挿通したハンドル軸４５は、カム部材４２ｃの嵌合孔４２ｈを貫通した状態にある。従って、ハンドル４１を操作してハンドル軸４５を回転させれば、カム部材４２ｃを介してスライダ固定部４２ｂをスライド溝４２ｄの範囲において上下に移動することが可能となる。
【００３２】
一方、戸先框２４のスライドガイド２４ａに配設したスライダ４３は、ネジ挿通孔４３ａを介してスライダ固定部４２ｂのネジ孔４２ｇに取付ネジを螺合することにより、スライダ固定部４２ｂに連結することができる。これにより、ハンドル４１を操作すれば、作動部材４２を介してスライダ４３を戸先框２４のスライドガイド２４ａに沿って上下に移動することができるようになる。
【００３３】
図３に示すように、戸先框２４に対向する縦枠１３には、スライダ４３のストッパピン４６に対応する部位にそれぞれ規制部材１５が設けてある。規制部材１５は、スライダ４３とともに錠手段を構成するもので、ストッパピン４６が挿入可能となるストッパ溝１５ａを有したものである。従って、例えば、障子２０を閉じた状態でハンドル４１を適宜操作し、スライダ４３を下動させることによってストッパピン４６を規制部材１５のストッパ溝１５ａに挿入させた場合には、ストッパピン４６が規制部材１５に係合し、枠体１０に対する障子２０の開放が阻止されることになる。これにより、枠体１０に対して障子２０が閉じた状態に維持される（施錠状態）。この状態からハンドル４１を逆方向に操作し、スライダ４３を上動させれば、規制部材１５のストッパ溝１５ａからストッパピン４６が逸脱されることになり、枠体１０に対して障子２０を開放することが可能となる（解錠状態）。
【００３４】
戸先框２４に設けたハンドル取付孔２４ｃ，２４ｄ，２４ｅは、操作ユニット４０の取付部４４によって覆われた状態にあり、外部に露出してはいない。しかしながら、火災発生時において取付部４４が溶融するような状態となった場合には、ハンドル取付孔２４ｃ，２４ｄ，２４ｅが火炎の貫通口となるおそれがある。そこで、この建具では、戸先框２４の中空内部２４Ｃにおいて取付部４４に対応する位置に熱膨張性部材５０を備えた支持部材６０を配設し、上述の問題を未然に防止するようにしている。
【００３５】
支持部材６０は、鋼製の板材によって成形したもので、図４及び図６に示すように、第１プレート部６１、第２プレート部６２及び当接部６３を有している。第１プレート部６１は、戸先框２４の中空内部２４Ｃにおいて見付け方向に沿って延在する部分である。第２プレート部６２は、第１プレート部６１の一方の側縁部から戸先框２４の見込み方向に沿って延在する部分である。この第２プレート部６２には、上下両端部にネジ孔６２ａが設けてある。当接部６３は、第２プレート部６２の上方部から第２プレート部６２の延在方向に沿って突出した部分である。
【００３６】
図からも明らかなように、第１プレート部６１及び第２プレート部６２は、上下に沿った寸法ａ１が互いに同じとなるように構成してある。具体的には、第１プレート部６１によって戸先框２４のハンドル取付孔２４ｃ，２４ｄ，２４ｅをすべて覆うことのできるように上下寸法ａ１が設定してある。またこの支持部材６０の上下寸法ａ１は、戸先框２４の中空内部２４Ｃにおいて見込み方向に沿った寸法ｄ１及び見付け方向に沿った寸法ｄ２の双方よりも大きく設定してある。これに対して当接部６３は、第２プレート部６２の上縁部から突出したもので、第２プレート部６２に対して１／１０以下の上下寸法ａ２を有するように構成してある。当接部６３を設ける位置は、第１プレート部６１が３つのハンドル取付孔２４ｃ，２４ｄ，２４ｅのすべてを覆うことのできる位置に配置した場合に、下端縁を介して作動部本体４２ａの上面に当接するように設定してある。
【００３７】
また、第２プレート部６２の見込み方向に沿った寸法ｂ１は、戸先框２４の中空内部２４Ｃにおいて室外側の見付け方向に沿った内表面２４ｆと作動部材４２との隙間に挿入可能となり、かつ第１プレート部６１が室外側の見付け方向に沿った内表面２４ｆに当接した状態で当接部６３が作動部本体４２ａの上面に当接可能となる寸法に設定してある。第１プレート部６１の見付け方向に沿った寸法ｂ２は、他方の側縁を戸先框２４の中空内部２４Ｃにおいて見込み方向に沿った内表面２４ｇに当接させた状態で当接部６３が作動部本体４２ａの上面に当接可能となる寸法に設定してある。
【００３８】
上述した熱膨張性部材５０は、第１プレート部６１の室内に臨む見付け面６１ａのほぼ全面となる部位に貼り付けてある。熱膨張性部材５０は、膨張黒鉛等のように、加熱された場合に膨張する不燃性または難燃性を有したもので、薄板のシート状に構成したものを適用している。
【００３９】
上記の寸法を有するように構成した支持部材６０では、図７の（ａ）に示すように、作動部材４２を取り付けた後に戸先框２４の上端開口から挿入すれば、図７の（ｂ）に示すように、所望の高さ位置に到達した時点で、つまり、第１プレート部６１の熱膨張性部材５０がハンドル取付孔２４ｃ，２４ｄ，２４ｅのすべてに対向した位置に配置された場合に、当接部６３が作動部本体４２ａの上面に当接することになる。このとき、支持部材６０の上下寸法ａ１及び第１プレート部６１の見付け寸法ｂ２、第２プレート部６２の見込み寸法ｂ１をそれぞれ上述のように設定しているため、戸先框２４の上端開口から挿入した後に途中で支持部材６０の姿勢や向きが変更されるおそれがなく、当接部６３が作動部本体４２ａの上面に確実に当接することになる。従って、この状態から戸先框２４を介して第２プレート部６２のネジ孔６２ａにネジ６４を螺合させれば、中空内部２４Ｃにおいて取付部４４に対応した位置に熱膨張性部材５０を設ける作業を容易に行うことが可能となる。
【００４０】
上記のように構成した建具によれば、火災発生時等において戸先框２４が高温状態となった場合、戸先框２４の中空内部２４Ｃに配設した熱膨張性部材５０が膨張し、操作ユニット４０の取付部４４が取り付けられた部分を中心として中空内部２４Ｃに充填されることになる。従って、戸先框２４のハンドル取付孔２４ｃ，２４ｄ，２４ｅも熱膨張性部材５０によって塞がれることになり、これらのハンドル取付孔２４ｃ，２４ｄ，２４ｅが火炎の貫通口となるおそれがない。しかも、戸先框２４の中空内部２４Ｃにおいては、室外側となる部分が支持部材６０の第１プレート部６１によって覆われている。このため、戸先框２４の室外側に火熱が加えられた場合にも、第１プレート部６１及び中空内部２４Ｃにおいて膨張した熱膨張性部材５０の断熱性により、戸先框２４の室内側に火熱の影響が及ぶおそれが小さくなる。これにより、ハンドル４１及び取付部４４として樹脂によって成形したものを適用しているものの、これらハンドル４１及び取付部４４から発炎する事態を招来するおそれがない。
【００４１】
なお、上述した実施の形態では、縦すべり出し窓の戸先框に操作ユニットのハンドルを備えた建具を例示しているが、ハンドルの操作により作動部材が動作して障子の開放が可能となる建具であれば、その他の建具にも適用することが可能である。この場合、必ずしも縦框に操作ユニットのハンドルを設けたものに限らず、上框や下框にハンドルを設けるようにしても良い。また、支持部材６０を作動部材４２の作動部本体４２ａに当接させるようにしているが、操作ユニットを構成する部材であれば、ハンドル軸４５やボス部４４ｂ、取付ネジ４７等のその他の部材に当接させるようにしても構わない。
【符号の説明】
【００４２】
１０  枠体、２０  障子、２４  戸先框、２４Ｃ  中空内部、２４ｃ，２４ｄ，２４ｅ  ハンドル取付孔、２４ｆ  内表面、２４ｇ  内表面、４０  操作ユニット、４１  ハンドル、４２  作動部材、４２ａ  作動部本体、４４  取付部、４５  ハンドル軸、５０  熱膨張性部材、６０  支持部材、６１  第１プレート部、６１ａ  見付け面、６２  第２プレート部、６３  当接部、ａ１  框の長手方向に沿った寸法、ｂ１  第２プレート部の見込み方向に沿った寸法、ｂ２  第１プレート部の見付け方向に沿った寸法
【図１】
2017210723.tif 000003
【図２】
2017210723.tif 000004
【図３】
2017210723.tif 000005
【図４】
2017210723.tif 000006
【図５】
2017210723.tif 000007
【図６】
2017210723.tif 000008
【図７】
2017210723.tif 000009